(57)【要約】      （修正有）【課題】強度及び取付けの作業性を低下させることなく製造コストを可及的に低減することができ、更に保管搬送管理を容易に実施することができる保護具を提供する。【解決手段】保護具１は、短寸円筒状の樹脂製管材を略直角に屈曲させてなる本体２を備えており、屈曲された本体２の角部外周面は曲面状に成形してある。本体２の筒部２ａの第１開口部２１は、その開口面が筒部２ａの中心軸に対して略直角になるようにしてあり、筒部２ａをボルト部に螺合されたボルトに固着させ得るように、第１開口部２１の内径はボルトの外径より僅かに小さい寸法にしてある。【選択図】図１
0003168873.tif 000002
【実用新案登録請求の範囲】
【請求項１】
ポールに巻回される帯状のバンド本体に複数の係合窓が長手方向へ適宜の間隔で開設してあり、前記バンド本体に設けられた支持部に支持されたフックボルトのフック部を適宜の係合窓に係合させ、前記フックボルトのフック部とは反対側の基端部に螺合されたボルトを締め付けることによって前記ポールに固着されるバンドの適宜箇所に取り付けられ、前記フックボルトへの接触から保護する保護具において、
長手方向の中途位置から屈曲させてなる本体を備え、該本体の一端側には前記フックボルトの基端部を挿入させるとともに前記ボルトに外嵌させる筒部が設けてあり、前記本体の他端はポールに巻回されたバンド本体へ向けて取り付けられるようになっていることを特徴とする保護具。
【請求項２】
前記本体の他端は、前記筒部の中心軸に直交する方向の長さ寸法が本体の屈曲された内側から外側に向かって漸次長くなしてある請求項１記載の保護具。
【請求項３】
前記本体の屈曲部の外側部分は曲面になしてある請求項１又は２記載の保護具。
【請求項４】
前記本体の他端近傍の適宜位置に、該本体を前記バンドに結束させるための結束材を挿通させる挿通部が設けてある請求項１、２又は３記載の保護具。
【請求項５】
前記本体は管材にて構成してある請求項１乃至４のいずれかに記載の保護具。
【考案の詳細な説明】
【技術分野】
【０００１】
本考案は、電柱といったポールに取り付けられる環状のバンドに備えられたフックボルトの端部に取り付けられ、当該端部に人又は物が接触した場合にこれを保護する保護具に関する。
【背景技術】
【０００２】
電柱といったポールの部分強度を高くすべく、当該ポールの周面に複数の板状の補強材を当接させ、それら補強材の外周囲に環状のバンドを巻回させて、該バンドに備えられた固定ネジを締め付けることによって各補強材をポールに固定させるという補強工法が実施されている。また、かかるバンドは、立上り電線管又はケーブル立上り管をポールの周面に略鉛直姿勢で取り付ける場合にも用いられている。
【０００３】
図４は、前述したバンドの一例を示す斜視図である。
図４に示した如く、バンド３０は、金属帯状のバンド本体３１の一端近傍に仮止フック３２を突設してなり、バンド本体３１の他端近傍には平面視が略へ字状のフックボルト３３を貫通支持する環状の支持部３４が立設してある。また、バンド本体３１の仮止フック３２から支持部３４に亘る領域には、仮止フック３２又はフックボルト３３の先端部が係合し得る複数の係合窓３５，３５，…がバンド本体３１の長手方向へ適宜の間隔で開設してある。
【０００４】
前述したフックボルト３３は、その先端部が前記係合窓３５に係合し得るフック部３３ａに、基端部がその周面を螺子切りしてボルト３３ｃを螺合させたボルト部３３ｂにしてあり、ボルト３３ｃを外した状態でボルト部３３ｂを支持部３４に貫通させてボルト３３ｃを螺合させることによってフックボルト３３を支持部３４に取付けるようになっている。
【０００５】
かかるバンド３０にあっては、バンド本体３１をポールの周面に密に掛け回し仮止フック３２をバンド本体３１の適宜の係合窓３５に係合させて仮止する。この状態でフックボルト３３のフック部３３ａをバンド本体３１の対応する係合窓３５に係合させ、フックボルト３３のボルト３３ｃを締め付けることによってバンド本体３１をポール周面の任意の高さ位置に固着させることができる。
【０００６】
なお、本考案の固定バンドにあってはかかる構成の自在バンドに限らず、種々の構成のバンドを用いることができることはいうまでもない。また、固定バンドの材料も金属に限られず、所要の強度・耐久性を有すれば樹脂材であってもよい。
【０００７】
このようなバンド３０にあってはポールの比較的地面に近い位置に取り付けられることもあるが、フックボルト３３の基端部であるボルト部３３ｂが外方へ突出しているため、該ボルト部３３ｂに人又は物が接触する虞があった。
【０００８】
そのため、次のようなフックボルト３３及び支持部３４を被覆してそのような接触から人又は物を保護する保護具が開示されている（例えば、特許文献１参照）。
【０００９】
図５は、特許文献１に開示された保護具の使用状態を示す斜視図であり、図中Ｐは電柱、Ｄは立上り電線管、５０は保護具である。また、図６は当該保護具５０の取付け方法を説明する説明図である。
【００１０】
地面に立設された電柱Ｐの周面に立上り電線管Ｄが鉛直姿勢で当接配置してあり、立上り電線管Ｄの内部には図示しない電線が挿通させてある。電柱Ｐ及び立上り電線管Ｄの周囲には前述したバンド３０が巻回してあり、フックボルト３３のフック部３３ａをバンド本体３１の対応する係合窓３５に係合させ、フックボルト３３のボルト部３３ｂに螺合させたボルト（図示せず）を締め付けることによって立上り電線管Ｄを電柱Ｐに固定してある。
【００１１】
このとき、フックボルト３３のボルト部３３ｂがバンド本体３１から離隔した状態でバンド３０の支持部３４から突出しているため、このボルト部３３ｂ及び／又は該ボルト部３３ｂに嵌合させたボルトに人又は物が接触する虞がある。そこで、バンド３０の支持部３４及びフックボルト３３のボルト部３３ｂの周囲を保護具５０で囲繞することによってかかる接触を防止してある。
【００１２】
保護具５０は、略中空直方厚板形状をなした本体５１を備えており、本体５１の厚さ方向の内寸はバンド３０の支持部３４の幅方向の外寸より少し大きくしてある。本体５１のバンド本体３１に当接させる底部は開口になしてあり、本体５１の天井部の両角部は丸くなしてある。この本体５１は厚さ方向の略中央位置で長手方向へ２分割された雌雄一対の第１片部５１ａ及び第２片部５１ｂを相互に結合して構成してあり、第１片部５１ａ及び第２片部５１ｂは、バンド３０の支持部３４の両側縁から支持部３４及びフックボルト３３のボルト部３３ｂを挟持するように取り付けられる。
【００１３】
第１片部５１ａ及び第２片部５１ｂの内部にはそれぞれ、前述した支持部３４を収納する第１収納部５２ａ（５２ａ）とボルト部３３ｂを収納する第２収納部５２ｂ（５２ｂ）とが設けてあり、第１収納部５２ａ（５２ａ）と第２収納部５２ｂ（５２ｂ）との間には取付け状態において互いに当接して本体５１を所要強度になす筒状の当接部５３（５３）がそれぞれ突設してある。第２片部５１ｂの両内側面であって本体５１の底部近傍の位置にはそれぞれ、爪部５４（５４）を嵌合させる筒状の受部５５，５５が本体５１の厚さ方向へ延設してあり、また第１片部５１ａの前記受部５５，５５に対向する位置には、当該受部５５，５５に嵌合する爪部５４（５４）が突設してある。爪部５４（５４）の先端部は片矢じり状に成形してあり、第２片部５１ｂの両側面であって前記受部５５，５５の底部に対応する位置には、爪部５４（５４）の先端部を係合固定するための係合窓５６（５６）がそれぞれ開設してある。
【００１４】
また、第１片部５１ａ及び第２片部５１ｂの第１収納部５２ａ（５２ａ）には、前述した支持部３４に内嵌させる半円壁状の固定部５７（５７）がそれぞれ突設してあり、取付け時に固定部５７（５７）を支持部３４に内嵌させることによって第１片部５１ａ及び第２片部５１ｂのずれを防止するようにしてある。また、第１片部５１ａ及び第２片部５１ｂの側部であって、前記第１収納部５２ａ（５２ａ）に臨む部分には、半円形の切欠き部５８，５８がそれぞれ設けてあり、両切欠き部５８，５８によってフックボルト３３のフック部３３ａを挟持するようになっている。
【００１５】
更に、本体５１の両側面には本体５１をバンド３０に固定するための結束バンドを挿通させる結束用切欠き部５９，５９が設けてある。また、本体５１の底部は所要曲率の円弧状になしてあり、電柱の周面であってもガタが生じないようになしてある。
【先行技術文献】
【特許文献】
【００１６】
【特許文献１】意匠登録第１３６０６１８号公報
【考案の概要】
【考案が解決しようとする課題】
【００１７】
しかしながら、このような従来の保護具にあっては、本体５１は第１片部５１ａ及び第２片部５１ｂの２片の部材から構成される上に、第１片部５１ａ及び第２片部５１ｂには第１収納部５２ａ（５２ａ）、第２収納部５２ｂ（５２ｂ）、受部５５，５５、係合窓５６（５６）、爪部５４（５４）、固定部５７（５７）、当接部５３（５３）、切欠き部５８，５８、結束用切欠き部５９，５９等々が形成されているため構造が複雑であり、製造コストが嵩む。一方、本体５１の構造を単に単純化しただけでは、所要の強度が得られないばかりでなく、例えば固定部５７（５７）を省いた場合は取付け作業中に第１片部５１ａ及び第２片部５１ｂが互いにずれるため、当該取付け作業を円滑に実施することが困難になる。
【００１８】
一方、第１片部５１ａ及び第２片部５１ｂを雌雄一対で管理しなければならず、保管及び作業現場までの搬送に手間を要するという問題もあった。
【００１９】
本考案はかかる事情に鑑みてなされたものであって、強度及び取付けの作業性を低下させることなく製造コストを可及的に低減することができ、更に保管搬送管理を容易に実施することができる保護具を提供する。
【課題を解決するための手段】
【００２０】
（１）本考案に係る保護具は、ポールに巻回される帯状のバンド本体に複数の係合窓が長手方向へ適宜の間隔で開設してあり、前記バンド本体に設けられた支持部に支持されたフックボルトのフック部を適宜の係合窓に係合させ、前記フックボルトのフック部とは反対側の基端部に螺合されたボルトを締め付けることによって前記ポールに固着されるバンドの適宜箇所に取り付けられ、前記フックボルトへの接触から保護する保護具において、長手方向の中途位置から屈曲させてなる本体を備え、該本体の一端側には前記フックボルトの基端部を挿入させるとともに前記ボルトに外嵌させる筒部が設けてあり、前記本体の他端はポールに巻回されたバンド本体へ向けて取り付けられるようになっていることを特徴とする。
【００２１】
本考案の保護具は、ポールに巻回される帯状のバンド本体に複数の係合窓が長手方向へ適宜の間隔で開設してあり、バンド本体に設けられた支持部に支持されたフックボルトのフック部を適宜の係合窓に係合させ、フックボルトのフック部とは反対側の基端部に螺合されたボルトを締め付けることによってポールに固着されるバンドの適宜箇所に取り付けられ、前記フックボルトに人又は物が接触することから当該人又は物を保護するものである。そして、本考案の保護具にあっては、長手方向の中途位置から屈曲させてなる本体を備え、本体の一端側には、前記バンドに設けられたフックボルトの基端部を挿入させるとともに当該基端部に螺合されたボルトに外嵌させる筒部が設けてある。
【００２２】
ポールに固着されたバンドの支持部からはフックボルトの基端部が突出しており、フックボルトへの接触は殆どの場合、この突出した基端部への接触である。本考案の保護具は長手方向の中途位置から屈曲させてなる本体の一端に設けた筒部内に、バンドの支持部から突出したフックボルトの基端部を挿入させるため、この基端部に人又は物が接触することが防止される。更に、筒部をフックボルトの基端部に螺合されたボルトに外嵌させるため、人又は物がボルトに接触することも防止される。
【００２３】
そして、長手方向の中途位置から屈曲させてなる本体の他端はポールに巻回されたバンド本体へ向けて取り付けられるようになっており、これによって本体の両端がバンドから突出することなく保護具がバンドに取り付けられる。従って、人又は物が保護具に接触した場合であっても、保護具自体に人又は物が引っ掛かることが防止され、人又は物が安全に保護される。
【００２４】
一方、本考案の保護具にあっては、一端側に筒部が設けられ、長手方向の中途位置から屈曲させてなる本体にて構成されているため、構造が単純である半面、強度が高い。また、前述したように本体の筒部をバンドのボルトに外嵌させるだけで取付けることができるため、強度及び取付けの作業性を低下させることなく製造コストを可及的に低減することができる。また、保護具は１つの部材にて構成してあるため、保管搬送管理が容易である。
【００２５】
なお、筒部の内径を前記ボルトの外径に応じた適宜寸法になしておくことによって、本体を打撃することによって筒部をボルトに容易に固着させることができ、これによって保護具がバンドから脱落することが防止される。
【００２６】
（２）また、本考案に係る保護具は、前記本体の他端は、前記筒部の中心軸に直交する方向の長さ寸法が本体の屈曲された内側から外側に向かって漸次長くなしてあることを特徴とする。
【００２７】
本考案の保護具にあっては、本体の他端は、本体の一端側に設けられた筒部の中心軸に直交する方向の長さ寸法が本体の屈曲された内側から外側に向かって漸次長くなしてある。すなわち、本体の他端は側面視が、本体の屈曲された内側底部と本体の他端とのなす角が鈍角になるように斜めになしてある。これによって、ポールに巻回されたバンド該保護具が取り付けられた場合に、本体の他端とバンド本体との間に隙間が生じることが可及的に防止されるため、保護具に人又は物が接触した場合、本体の他端に当該人又は物が引っ掛かることが回避され、人又は物が安全に保護される。
【００２８】
（３）更に、本考案に係る保護具は、前記本体の屈曲部の外側部分は曲面になしてあることを特徴とする。
【００２９】
本考案の保護具にあっては、本体の屈曲部の外側部分は曲面になしてある。従って、本体の屈曲部たる角部に人又は物が接触した場合であっても、角部の外表面上を滑って引っ掛からないため、人又は物が安全に保護される。
【００３０】
（４）一方、本考案の保護具は、前記本体の他端近傍の適宜位置に、該本体を前記バンドに結束させるための結束材を挿通させる挿通部が設けてあることを特徴とする。
【００３１】
本考案の保護具にあっては、本体の他端側の部分であって他端近傍の適宜位置に、本体をバンドに結束させるための結束材を挿通させる挿通部が設けてある。この挿通部に例えば紐状の結束材を挿通させ、該結束材をポールに固定されたバンドの適宜部位、例えば支持部に掛け回して結束材を締め付けることによって本体をバンドに容易に結束固定することができる。これによって、フックボルトに外嵌させた本体の筒部が緩んだ場合であっても、フックボルトから保護具が抜け落ちることが防止される。
【００３２】
（５）本考案の保護具は、前記本体は管材にて構成してあることを特徴とする。
【００３３】
本考案の保護具にあっては、本体は管材にて構成してある。これによって、所要の強度を保持しつつ、本体の構造を可及的に単純化することができる。従って、本体の製造コストを可及的に低減することができる。
【図面の簡単な説明】
【００３４】
【図１】本考案に係る保護具の斜視図である。
【図２】本考案に係る保護具の側面図である。
【図３】本考案に係る保護具の取付け方法を説明する説明図である。
【図４】バンドの一例を示す斜視図である。
【図５】従来の保護具の使用状態を示す斜視図である。
【図６】従来の保護具の取付け方法を説明する説明図である。
【考案を実施するための形態】
【００３５】
図１及び図２は、本考案に係る保護具の斜視図及び側面図である。
保護具１は、短寸円筒状の樹脂製管材を略直角に屈曲させてなる本体２を備えており、屈曲された本体２の角部外周面は曲面状に成形してある。
【００３６】
本体２の一端側である筒部２ａの第１開口部２１は、その開口面が筒部２ａの中心軸に対して略直角になるようにしてある。後述するようにこの筒部２ａは保護具１を取り付けるバンド３０を構成するフックボルト３３のボルト部３３ｂ（いずれも図３参照）に外嵌固定されるが、該筒部２ａをボルト部３３ｂに螺合されたボルトに固着させ得るように第１開口部２１の内径はボルトの外径より僅かに小さい寸法になしてある。
【００３７】
この筒部２ａの長さ寸法は前記フックボルト３３の長さ寸法に応じて適宜定めればよいが、取り付けのためにフックボルト３３のボルト部３３ｂを締めた状態においてフックボルト３３のボルト部３３ｂが螺合してある基端部であって、フックボルト３３を支持する支持部３４から突出する部分（いずれも図３参照）を全て内挿し得る最短寸法が好ましい。これによって、保護具１を可及的にコンパクトにすることができる。
【００３８】
本体２の他端である第２開口部２２は、後述するようにポールに巻回されたバンド３０（図３参照）に当該保護具１が取り付けられた場合に第２開口部２２とバンド本体３１との間に可及的に隙間が生じないようにすべく、その開口面が本体２の他端側の中心軸に対して斜めになしてある。すなわち、本体２の他端部２ｂの筒部２ａの中心軸に直交する方向である長さ寸法は、本体２の屈曲された内側から外側に向かって漸次長くなしてある。従って、第２開口部２２は側面視が、本体２の屈曲された内側底部と第２開口部２２とのなす角が鈍角になっている。
【００３９】
ここで、第２開口部２２は側面視が、図２に示したように直線状になしてもよいし、本体２の屈曲部側へ凹の湾曲状になしてもよい。なお、第２開口部２２を側面視が湾曲状になす場合の曲率は、保護具１を設置するポールの周面に応じて適宜定めればよい。
【００４０】
この本体２の他端部２ｂの長さ寸法は適宜定めることができるが、ポールに巻回されたバンド３０に当該保護具１が取り付けられた場合に本体２の第２開口部２２がバンド本体３１に当接し得る最短長さ寸法が好ましい。これによって前同様、保護具１を可及的にコンパクトにすることができる。
【００４１】
本体２の他端部２ｂには、当該他端部２ｂを貫通する貫通孔２３ａ（２３ａ）が互いに周方向へ１８０°位置を異ならせて開設してあり、貫通孔２３ａ（２３ａ）にて挿通部２３が構成される。これら挿通部２３たる貫通孔２３ａ（２３ａ）には図３に示したように結束バンド４０を挿通させるようになっている。なお、本実施の形態では、管状の本体２の他端部２ｂに２つの貫通孔２３ａ（２３ａ）を周方向へ１８０°位置を異ならせて開設した場合について示したが、両貫通孔２３ａ（２３ａ）を周方向の適宜位置に開設してもよい。ただし、貫通孔２３ａ（２３ａ）を周方向へ１８０°位置を異ならせて開設した場合、貫通孔２３ａ（２３ａ）に結束バンド４０を挿通させる作業をより円滑に行うことができるため好適である。
【００４２】
ここで、本体２に結束バンド４０を係合させるには、前述したように本体２に貫通孔２３ａ（２３ａ）を開設する以外に、本体２の外周面にアーチ状の梁部を形成しておき、該梁部と本体２の外周面とで囲まれる挿通部に結束バンド４０を挿通させることも考えられるが、このような挿通部にあっては前記梁部の強度が本体２に貫通孔２３ａ（２３ａ）を開設する場合に比べて弱く、梁部が破損する虞がある上に、かかる梁部が本体２の周面から突出した場合、当該梁部に人又は物が接触する虞がある。つまり、本体２に貫通孔２３ａ（２３ａ）を開設した場合、高い強度が得られるのに加え、本体２の周面から突出する部分が存在しないため、安全性が高い。
【００４３】
図３は、本考案に係る保護具１の取付け方法を説明する説明図であり、図中、３０はバンドである。
【００４４】
バンド３０は、金属帯状のバンド本体３１の一端近傍に仮止フック３２を突設してなり、バンド本体３１の他端近傍には平面視が略へ字状のフックボルト３３を貫通支持する環状の支持部３４が立設してある。また、バンド本体３１の仮止フック３２から支持部３４に亘る領域には、仮止フック３２又はフックボルト３３の先端部が係合し得る複数の係合窓３５，３５，…がバンド本体３１の長手方向へ適宜の間隔で開設してある。
【００４５】
前述したフックボルト３３は、その先端部が前記係合窓３５に係合し得るフック部３３ａに、基端部がその周面を螺子切りしてボルトを螺合させたボルト部３３ｂにしてあり、ボルトを外した状態でボルト部３３ｂを支持部３４に貫通させてボルトを螺合させることによってフックボルト３３が支持部３４に取付けられている。
【００４６】
一方、地面に立設された電柱Ｐの周面に立上り電線管Ｄが鉛直姿勢で当接配置してあり、立上り電線管Ｄの内部には図示しない電線が挿通させてある。電柱Ｐ及び立上り電線管Ｄの周囲にはバンド本体３１が巻回してあり、フックボルト３３のフック部３３ａをバンド本体３１の対応する係合窓３５に係合させ、フックボルト３３のボルト部３３ｂに螺合させたボルト（図示せず）を締め付けることによって、バンド３０を固着するとともに立上り電線管Ｄを電柱Ｐに固定してある。このとき、フックボルト３３の基端部たるボルト部３３ｂがバンド本体３１から離隔した状態で支持部３４から突出しているため、フックボルト３３のボルト部３３ｂに保護具１が取り付けてある。
【００４７】
すなわち、前述した保護具１の他端部２ｂがバンド本体３１に対向する姿勢で、保護具１の筒部２ａ内にフックボルト３３のボルト部３３ｂを挿入させ、その状態で保護具１の本体２の角部付近を打撃することによってボルト部３３ｂに螺合させたボルトを保護具１の筒部２ａ内へ進入させて本体２をフックボルト３３のボルト部３３ｂに外嵌固着させる。
【００４８】
次に、結束バンド４０の先端部を本体２の他端部２ｂに開設した貫通孔２３ａ（２３ａ）に挿通させ、更にこの結束バンド４０を環状の支持部３４内を挿通させた後に、図３に示したように当該結束バンド４０の基端部に設けられた係合部４１を挿通させる。
【００４９】
そして、係合部４１を挿通させた結束バンド４０の先端部を引っ張ることによって結束バンド４０を可及的に締め付けて、保護具１をバンド３０に結束する。このように、結束バンド４０にて保護具１をバンド３０の支持部３４に結束することによって、ボルト部３３ｂのボルトに打入させた本体２が緩んだ場合であっても、ボルト部３３ｂから保護具１が抜け落ちることが防止される。
【００５０】
なお、前記結束バンド４０に代えて針金といった条材にて構成した結束材を用いてもよいことはいうまでもない。
【００５１】
このような保護具１にあっては、一端側に筒部２ａが設けられ、長手方向の中途位置から屈曲させてなる本体２にて構成されているため、構造が単純である半面、強度が高い。また、前述したように本体２の筒部２ａをバンド３０に備えられたフックボルト３３のボルトに外嵌させるだけで容易に取付けることができるため、強度及び取付けの作業性を低下させることなく製造コストを可及的に低減することができる。また、保護具１は本体２という１つの部材にて構成してあるため、保管搬送管理が容易である。
【００５２】
また、前述した如く本体２の屈曲部の外側部分は曲面になしてあるため、本体２の屈曲部たる角部に人又は物が接触した場合であっても、角部の外表面上を滑って引っ掛からないため、人又は物が安全に保護される。
【００５３】
なお、本実施の形態では管材の本体２を用いた場合について説明したが、本考案はこれに限らず、本体２の他端側は中実の柱状になしてあってもよいことはいうまでもない。この場合、前述した貫通孔２３ａは一つ開設すればよい。一方、本体２に管材を用いた場合、市販のエルボ管材を所要の寸法に切断することによって本体２を製造することができるため、本体２の製造が容易であり、製造コストを可及的に低減することができる。
【００５４】
また、本実施の形態では本体２の角部は略直角に屈曲させて構成してあるが、本考案はこれに限らず、より鈍角なへ字状、又は円弧状に屈曲させてもよい。これによって、本体２の角部をなだらかにすることができるため、本体２の角部に接触した場合の衝撃を更に軽減することができる。
【符号の説明】
【００５５】
１    保護具
２    本体
２ａ  筒部
２１    第１開口部
２２    第２開口部
２３    挿通部
２３ａ  貫通孔（挿通部）
４０    結束バンド（結束材）
Ｐ    ポール
Ｄ    立上り電線管
【図１】
0003168873.tif 000003
【図２】
0003168873.tif 000004
【図３】
0003168873.tif 000005
【図４】
0003168873.tif 000006
【図５】
0003168873.tif 000007
【図６】
0003168873.tif 000008